(57)【要約】【課題】  速報情報を取得した際に、利用者に対して、当該速報情報を簡潔化した表示で確実に報知する。【解決手段】  ニュース速報取得部１９１が、「ニュース速報」の文字情報を取得し制御部１９９へ送る。また、緊急警報取得部１９２が、「緊急警報」の字幕情報を取得し制御部１９９へ送る。制御部１９９は、これらの速報情報を受けると当該情報から文字列を抽出する。次に、制御部１９９は、抽出された文字列に『津波』、『地震』等のキーワードが含まれているか否かの判定、重複文字列の取捨等の選定処理を行った後、選定された文字列が所定数以下であるか否かを判定する。そして、文字列に『津波』、『地震』等が含まれ、所定数判定の結果が否定的であった場合には、制御部１９９は、『津波』、『地震』等の現象文字列をアイコン表示するとともに、第２表示ユニット１７５に表示する文字数を所定数以内にする。【選択図】  図３
2020075722.tif 000002
【特許請求の範囲】
【請求項１】
外部から速報情報を取得する速報情報取得部と；
前記速報情報取得部が取得した速報情報に基づいて、所定の文字列を抽出する抽出部と；
前記速報情報取得部が取得した前記速報情報の内容を第１表示部に表示させるとともに、前記抽出部によって抽出された前記所定の文字列に基づく情報を前記第１表示部とは異なる第２表示部に表示させる表示制御部と；
を備えることを特徴とする表示制御装置。
【発明の詳細な説明】
【技術分野】
【０００１】
本発明は、表示制御装置、表示制御方法、表示制御プログラム、及び、当該表示制御プログラムが記録された記録媒体に関する。
【背景技術】
【０００２】
従来から、現在発生している現象又は発生が予測される現象等の速報性を要する情報（以下、「速報情報」とも記す）を外部から取得し、当該取得された速報情報を表示装置に表示することが行われている。かかる速報情報を表示装置に表示する技術の一つとして、車両に搭載された表示装置に、外部から取得した速報情報を表示するものがある（特許文献１参照：以下、「従来例」と呼ぶ）。
【０００３】
この従来例の技術では、車両内に、ダッシュボードに配置されるナビゲーション装置用ディスプレイ、運転席の前方などに配置されるメータ部ディスプレイ、フロントガラスの運転席前方の一部に虚像を映し出すヘッドアップディスプレイ及びフロントガラスの大部分に情報の表示が可能なウインドシールドディスプレイの４つのディスプレイ（表示装置）を備えている。そして、運転者の視線を検出する視線検出用カメラによる撮影結果に基づいて、４つのディスプレイのうちで、運転者の視線方向に最も近いディスプレイを選択し、当該選択されたディスプレイに、取得した速報情報を表示させるようになっている。
【先行技術文献】
【特許文献】
【０００４】
【特許文献１】特開２００７−１４５３１０号公報
【発明の概要】
【発明が解決しようとする課題】
【０００５】
上述した従来例の技術では、取得された速報情報を、編集等を行うことなく、そのまま選択されたディスプレイに表示している。ここで、車両に配置されるナビゲーション装置用ディスプレイやメータ部ディスプレイは、車室内の広さ、当該ディスプレイの設置位置等の制約により、一般的には家庭用のディスプレイのような大きいサイズのディスプレイとすることはできない。この結果、ナビゲーション装置用ディスプレイやメータ部ディスプレイについては、文字等から成る重要な速報情報を、報知可能な適切な大きさで表示する際には、表示可能な文字数に限界がある。
【０００６】
一方、ヘッドアップディスプレイやウインドシールドディスプレイついては、多くの文字等から成る速報情報を、報知可能な適切な大きさで表示することは可能である。しかしながら、多くの文字を一度に表示すると、当該速報情報の表示領域が広くなり利用者の前方視界を遮るおそれがある。こうした事態は、安全運転の観点から好ましくない。
【０００７】
したがって、従来例の技術では、取得された速報情報を、利用者（運転者）に対して、確実に報知することができるとは言い難かった。また、従来例の技術では、取得された速報情報について、運転者の前方視界の確保を考慮した表示を行っていなかった。
【０００８】
このため、速報情報を取得した際に、利用者に対して、当該速報情報を簡潔化した表示で確実に報知することができる技術が望まれている。かかる要請に応えることが、本発明が解決すべき課題の一つとして挙げられる。
【課題を解決するための手段】
【０００９】
請求項１に記載の発明は、外部から速報情報を取得する速報情報取得部と；前記速報情報取得部が取得した速報情報に基づいて、所定の文字列を抽出する抽出部と；前記速報情報取得部が取得した前記速報情報の内容を第１表示部に表示させるとともに、前記抽出部によって抽出された前記所定の文字列に基づく情報を前記第１表示部とは異なる第２表示部に表示させる表示制御部と；を備えることを特徴とする表示制御装置である。
【００１０】
請求項１０に記載の発明は、速報情報の表示を行う表示制御装置において使用される表示制御方法であって、外部から前記速報情報を取得する取得工程と；前記取得工程において取得した速報情報に基づいて、所定の文字列を抽出する抽出工程と；前記取得工程において取得した前記速報情報の内容を第１表示部に表示させるとともに、前記抽出工程において抽出された前記所定の文字列に基づく情報を前記第１表示部とは異なる第２表示部に表示させる表示制御工程と；を備えることを特徴とする表示制御方法である。
【００１１】
請求項１１に記載の発明は、速報情報の表示を行う表示制御装置が有するコンピュータに、請求項１０に記載の表示制御方法を実行させる、ことを特徴とする表示制御プログラムである。
【００１２】
請求項１２に記載の発明は、速報情報の表示を行う表示制御装置が有するコンピュータにより読み取り可能に、請求項１１に記載の表示制御プログラムが記録されている、ことを特徴とする記録媒体である。
【図面の簡単な説明】
【００１３】
【図１】本発明の一実施形態に係る表示制御装置の構成を概略的に示すブロック図である。
【図２】図１の再生処理ユニットの構成を示すブロック図である。
【図３】図１の制御ユニットの構成を示すブロック図である。
【図４】図１の装置による表示制御処理を説明するためのフローチャートである。
【図５】図４の速報情報の表示処理を説明するためのフローチャートである。
【図６】図４の第２種速報情報に対する処理を説明するためのフローチャートである。
【図７】図１の装置による速報情報の送信処理を説明するためのフローチャートである。
【図８】ヘッドアップディスプレイ装置１７５への速報情報の表示例（その１）を説明するための図である。
【図９】ヘッドアップディスプレイ装置１７５への速報情報の表示例（その２）を説明するための図である。
【図１０】ヘッドアップディスプレイ装置１７５への速報情報の表示例（その３）を説明するための図である。
【発明を実施するための形態】
【００１４】
以下、本発明の一実施形態を、図１〜図１０を参照して説明する。なお、以下の説明及び図面においては、同一又は同等の要素には同一の符号を付し、重複する説明を省略する。
【００１５】
［構成］
図１には、一実施形態に係る表示制御装置１００の概略的な構成がブロック図にて示されている。本実施形態では、表示制御装置１００は、移動体である車両内に配置され、地上デジタルテレビジョン放送波を受信して処理する。この車両には、位置検出ユニット２１０が装備され、表示制御装置１００に接続されている。また、表示制御装置１００は、他車両に配置された無線送信装置や携帯電話装置等の外部機器と通信可能となっている。
【００１６】
上記の位置検出ユニット２１０は、ＧＰＳ（Global Positioning System）受信機等を備え、複数のＧＰＳ衛星から送られる電波の受信結果に基づいて、車両の位置（現在位置）を逐次検出する。そして、位置検出ユニット２１０は、検出された車両の位置情報を表示制御装置１００へ送る。
【００１７】
＜表示制御装置１００の構成＞
次に、上記の表示制御装置１００の構成について、説明する。
【００１８】
表示制御装置１００は、図１に示されるように、アンテナ１１０と、ＲＦ処理ユニット１２０と、再生処理ユニット１３０と、アンテナ１４０と、無線通信ユニット１４５とを備えている。また、表示制御装置１００は、入力ユニット１５０と、音出力ユニット１６０と、第１表示ユニット１７０と、第２表示ユニット１７５とを備えている。さらに、表示制御装置１００は、位置情報取得ユニット１８０と、制御ユニット１９０とを備えている。
【００１９】
上記のアンテナ１１０は、放送局から送信されている地上デジタルテレビジョン放送波を受信する。アンテナ１１０による受信信号ＲＦＳは、ＲＦ処理ユニット１２０へ送られる。
【００２０】
上記のＲＦ処理ユニット１２０は、アンテナ１１０から送られた受信信号ＲＦＳを受ける。そして、ＲＦ処理ユニット１２０は、制御ユニット１９０から送られた選局指令ＣＳＬに従って、選局すべき希望放送局の信号を受信信号ＲＦＳから抽出する選局処理を行い、所定の中間周波数帯の成分を有する中間周波信号ＩＦＤに変換する。こうして得られた中間周波信号（以下、単に「信号ＩＦＤ」）は、再生処理ユニット１３０へ送られる。ここで、信号ＩＦＤは、デジタル信号となっている。
【００２１】
上記の再生処理ユニット１３０は、制御ユニット１９０による制御のもとで、ＲＦ処理ユニット１２０から送られる信号ＩＦＤを処理して、制御ユニット１９０へ送る映像データＩＤＴ及び音出力ユニット１６０へ供給する音声データＡＤＴを生成する。再生処理ユニット１３０の構成の詳細については、後述する。
【００２２】
上記のアンテナ１４０は、他車両に配置された無線送信装置や携帯電話装置等の外部機器から送信された無線信号を受信するとともに、外部機器へ向けて無線信号を送信する。アンテナ１４０による受信信号は、無線通信ユニット１４５へ向けて出力される。また、アンテナ１４０は、無線通信ユニット１４５から送られた送信信号を受けて、当該送信信号に対応する無線信号を、外部機器へ向けて送信する。
【００２３】
上記の無線通信ユニット１４５は、アンテナ１４０から送られた受信信号を処理して、制御ユニット１９０で処理可能なデジタルデータ信号に変換し、制御ユニット１９０へ送る。また、無線通信ユニット１４５は、制御ユニット１９０から送られた信号を処理して、外部機器へ送信する無線信号に対応する送信信号に変換し、アンテナ１４０へ送る。
【００２４】
上記の入力ユニット１５０は、表示制御装置１００の本体部に設けられたキー部、及び／又はキー部を備えるリモート入力装置等により構成される。ここで、本体部に設けられたキー部としては、第１表示ユニット１７０の表示デバイスに設けられたタッチパネルを用いることができる。また、キー部を有する構成に代えて、又は併用して音声認識技術を利用して音声にて入力する構成を採用することもできる。
【００２５】
この入力ユニット１５０を利用者が操作することにより、表示制御装置１００の動作内容の設定や動作指令の入力が行われる。例えば、放送局を指定した選局指定、第２表示ユニット１７５に表示される速報情報の表示指定等の利用者による入力が、入力ユニット１５０を利用して行われる。入力ユニット１５０への入力内容は、入力データＩＰＤとして、制御ユニット１９０へ送られる。
【００２６】
上記の音出力ユニット１６０は、（ｉ）再生処理ユニット１３０から送られた音声データＡＤＴをアナログ信号に変換するＤＡ（Digital to Analogue）変換器と、（ii）当該ＤＡ変換器から出力されたアナログ信号を増幅する増幅器と、（iii）増幅されたアナログ信号を音声に変換するスピーカとを備えて構成されている。この音出力ユニット１６０は、選局されているチャンネルの放送波に対応する放送音声を再生出力する。
【００２７】
上記の第１表示ユニット１７０は、例えば、（ｉ）液晶パネル、有機ＥＬ（Electro Luminescence）パネル、ＰＤＰ（Plasma Display Panel）等の表示デバイスと、（ii）制御ユニット１９０から送られた第１出力映像データＩＭＴ１に基づいて、当該表示デバイスに画像を表示させる表示制御回路とを備えている。この第１表示ユニット１７０は、選局されているチャンネルに対応する放送映像を再生表示する。本実施形態では、第１表示ユニット１７０の表示デバイスは、車両内のフロントパネル付近に装着される。第１表示ユニット１７０は、第１表示部の機能を果たすようになっている。
【００２８】
上記の第２表示ユニット１７５は、ヘッドアップディスプレイ装置であり、（ｉ）車両内の天井に配置され、制御ユニット１９０から送られた第２出力映像データＩＭＴ２に基づき画像を構成する光を射出する光源部と、（ii）サンバイザの位置近傍に配置され、光源部から射出される表示像が投影されるとともに、表示像を運転者のアイポイントへ反射するコンバイナとを備えている。本実施形態では、この第２表示ユニット１７５は、「緊急警報」、「ニュース速報」等の速報情報を表示する。第２表示ユニット１７５は、第２表示部の機能を果たすようになっている。
【００２９】
なお、以下の説明では、「緊急警報」及び「ニュース速報」を総称して、「速報情報」とも記す。また、第２表示ユニット１７５については、「ヘッドアップディスプレイ装置１７５」とも記すこととする。
【００３０】
上記の位置取得ユニット１８０は、位置検出ユニット２１０から送られた車両の位置情報を受ける。そして、位置取得ユニット１８０は、取得した車両の位置情報ＰＳＩを、制御ユニット１９０へ送る。本実施形態では、位置取得ユニット１８０は、位置取得部の機能を果たすようになっている。
【００３１】
上記の制御ユニット１９０は、様々な処理を行うとともに、表示制御装置１００の全体の動作を制御する。この制御ユニット１９０は、演算手段としての中央処理装置（ＣＰＵ）及びその周辺回路を備えて構成されている。制御ユニット１９０が様々なプログラムを実行することにより、表示制御装置１００としての各種機能が実現されるようになっている。制御ユニット１９０の構成の詳細については、後述する。
【００３２】
なお、制御ユニット１９０が実行するプログラムは、ハードディスク、ＣＤ−ＲＯＭ、ＤＶＤ等のコンピュータで読み取り可能な記録媒体に記録され、当該記録媒体からロードされて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【００３３】
《再生処理ユニット１３０の構成》
次に、再生処理ユニット１３０の構成について説明する。
【００３４】
再生処理ユニット１３０は、図２に示されるように、復調部１３１と、復号部（デマルチプレックス部）１３２と、音声処理部１３３と、映像処理部１３４とを備えている。
【００３５】
上記の復調部１３１は、ＲＦ処理ユニット１２０から送られた信号ＩＦＤを受ける。そして、復調部１３１は、信号ＩＦＤに対してＯＦＤＭ（Orthogonal Frequency Division Multiplex）復調を施す。こうして復調された信号は、信号ＤＭＤとして、復号部１３２及び制御ユニット１９０へ送られる。
【００３６】
上記の復号部１３２は、復調部１３１から送られた信号ＤＭＤを受ける。そして、復号部１３２は、信号ＤＭＤの復号処理を行い、音声に関する復号結果を、復号音声データＤＡＤとして音声処理部１３３へ送る。また、復号部１３２は、映像に関する復号結果を、復号映像データＤＩＤとして映像処理部１３４へ送る。
【００３７】
上記の音声処理部１３３は、復号音声データＤＡＤに基づいて音声データＡＤＴを生成する。生成された音声データＡＤＴは、音出力ユニット１６０へ送られる。
【００３８】
上記の映像処理部１３４は、復号映像データＤＩＤに基づいて映像データＩＤＴを生成する。生成された映像データＩＤＴは、制御ユニット１９０へ送られる。
【００３９】
《制御ユニット１９０の構成》
次いで、制御ユニット１９０の構成について説明する。
【００４０】
制御ユニット１９０は、図３に示されるように、ニュース速報取得部１９１と、緊急警報取得部１９２と、外部速報情報取得部１９３とを備えている。また、制御ユニット１９０は、記憶部１９５と、制御部１９９とを備えている。
【００４１】
上記のニュース速報取得部１９１は、映像処理部１３４から送られる映像データＩＤＴを受ける。引き続き、ニュース速報取得部１９１は、映像データＩＤＴを解析して、当該映像データＩＤＴに「ニュース速報」の映像が含まれているか否かを判定する。そして、ニュース速報取得部１９１は、映像データＩＤＴに「ニュース速報」の映像が含まれている場合には、当該「ニュース速報」における文字情報を取得する。こうして取得された「ニュース速報」における文字情報は、制御部１９９へ送られる。
【００４２】
上記の緊急警報取得部１９２は、復調部１３１から送られる信号ＤＭＤを受ける。引き続き、緊急警報取得部１９２は、信号ＤＭＤからＴＭＣＣ（Transmission Multiplexing Configuration Control）情報を取得し、緊急警報信号が検出されたか否かを判定する。そして、緊急警報取得部１９２は、緊急警報信号が検出されると、信号ＤＭＤをデコードし、「緊急警報」における字幕情報や文字情報（以下、単に「字幕情報」とも記す）を取得する。こうして取得された「緊急警報」における字幕情報は、制御部１９９へ送られる。
【００４３】
なお、以下の説明では、「ニュース速報」の文字情報及び「緊急警報」の字幕情報を総称して、「第１種速報情報」とも記すこととする。
【００４４】
上記の外部速報情報取得部１９３は、外部機器から送信された速報情報（以下、「外部速報情報」又は「第２種速報情報」とも記す）を、アンテナ１４０及び無線通信ユニット１８０を介して取得する。そして、外部速報情報取得部１９３は、取得された外部速報情報を制御部１９９へ送る。
【００４５】
上記の記憶部１９５は、不揮発性の記憶素子を備えて構成されている。記憶部１９５には、制御ユニット１９０で利用される様々な情報データが記憶される。記憶部１９５に記憶される情報データには、図３に示されるように、キーワード情報ＫＷＩと、アイコン情報ＩＣＩとが含まれている。
【００４６】
上記のキーワード情報ＫＷＩには、『津波』、『火山噴火』、『地震』、『国民保護』等の現象に関するキーワード、『警報』、『注意報』、『予報』等の警戒レベルに関するキーワード、『北海道』、『北部』等の地域情報に関するキーワード等が、予め記憶されている。上記のアイコン情報ＩＣＩには、現象キーワードを絵柄で表したアイコン（図形）データが、予め記憶されている。例えば、キーワード『津波』については、「大波」を絵柄で表したアイコンデータが記憶されている（後述する図９（Ｂ）参照）。また、キーワード『地震』については、「ナマズ」を絵柄で表したアイコンデータが記憶されている（後述する図８（Ｂ）参照）。
【００４７】
上記の制御部１９９は、入力ユニット１５０から送られた入力データＩＰＤの内容が選局指定であった場合には、指定された希望放送局に対応する選局指令ＣＳＬを生成して、ＲＦ処理ユニット１２０へ送る。
【００４８】
制御部１９９は、映像処理部１３４から送られた映像データＩＤＴを受ける。また、制御部１９９は、緊急警報取得部１９２から送られる「緊急警報」の字幕情報を受ける。そして、制御部１９９は、緊急警報が検出されない場合には、映像データＩＤＴを、第１出力映像データＩＭＴ１として第１表示ユニット１７０へ送る。また、制御部１９９は、緊急警報が検出されている場合には、映像データＩＤＴに「緊急警報」の字幕情報を重畳した映像データを生成し、第１出力映像データＩＭＴ１として第１表示ユニット１７０へ送る。
【００４９】
また、制御部１９９は、緊急警報取得部１９２から送られる「緊急警報」の字幕情報を受けると、記憶部１９５内のキーワード情報ＫＷＩを参照して、当該字幕情報中に速報キーワードと同一の文字列が存在するか否かを判定する。そして、制御部１９９は、字幕情報中に速報キーワードと同一の文字列が存在する場合には、当該文字列を抽出する。
【００５０】
また、制御部１９９は、ニュース速報取得部１９１から送られる「ニュース速報」の文字情報を受けると、記憶部１９５内のキーワード情報ＫＷＩを参照して、当該文字情報中に速報キーワードと同一の文字列が存在するか否かを判定する。そして、制御部１９９は、当該判定の結果が肯定的である場合には、速報キーワードと同一の文字列を抽出する。
【００５１】
また、制御部１９９は、外部速報情報取得部１９３から送られる外部速報情報を受けると、記憶部１９５内のキーワード情報ＫＷＩを参照して、当該外部速報情報中に速報キーワードと同一の文字列が存在するか否かを判定する。そして、制御部１９９は、当該判定の結果が肯定的である場合には、速報キーワードと同一の文字列を抽出する。
【００５２】
また、制御部１９９は、位置取得ユニット１８０から送られる車両の位置情報ＰＳＩを受ける。そして、制御部１９９は、抽出された所定の文字列、地域情報、及び、取得された車両の位置情報ＰＳＩに基づいて、記憶部１９５内のアイコン情報ＩＣＩを参照しつつ、第２表示ユニット１７５に表示すべき第２出力映像データＩＭＴ２を生成する。こうして生成された第２出力映像データＩＭＴ２は、第２表示ユニット１７５へ送られる。
【００５３】
また、制御部１９９は、第１種速報情報又は第２種速報情報を取得すると、速報情報の取得報告を生成する。そして、制御部１９９は、当該速報情報の取得報告を、無線通信ユニット１４５及びアンテナ１４０を介して、近距離無線通信を利用して外部機器へ送信する。なお、制御部１９９は、その時点で近距離無線通信が可能な外部機器を把握するため、取得報告の通信を定期的に行うようになっている。
【００５４】
制御部１９９が実行する第２表示ユニット１７５に対する表示制御処理、及び、速報情報の取得報告の送信の詳細については、後述する。
【００５５】
ここで、制御部１９９は、抽出部及び表示制御部の機能を果たすようになっている。
【００５６】
［動作］
以上のようにして構成された表示制御装置１００の動作について、制御ユニット１９０による第２表示ユニット１７５への「速報情報」の表示制御処理に主に着目して説明する。
【００５７】
本実施形態では、放送局から送信される放送コンテンツの視聴用再生の有無に関わらず、「速報情報」の表示制御処理が実行されるようになっている。
【００５８】
すなわち、本実施形態では、放送コンテンツの視聴用再生の有無に関わらず、制御部１９９が、利用者が直近に指定した選局指定に対応する選局指令ＣＳＬを生成し、ＲＦ処理ユニット１２０へ送っている。ＲＦ処理ユニット１２０は、当該選局指令ＣＳＬを受けると、希望放送局の信号を受信信号ＲＦＳから抽出する選局処理を行い、所定の中間周波数帯の成分を有する信号ＩＦＤに変換する。そして、ＲＦ処理ユニット１２０は、当該信号ＩＦＤを、再生処理ユニット１３０へ送る（図１参照）。
【００５９】
再生処理ユニット１３０では、復調部１３１が、ＲＦ処理ユニット１２０から送られた信号ＩＦＤの復調処理を行い、信号ＤＭＤを生成する。そして、復調部１３１は、生成された信号ＤＭＤを復号部１３２及び制御ユニット１９０の緊急警報取得部１９２へ送る。信号ＤＭＤを受けた緊急警報取得部１９２は、緊急警報信号が検出されると、信号ＤＭＤをデコードして「緊急警報」の字幕情報を取得し、制御部１９９へ送るようになっている（図３参照）。
【００６０】
また、再生処理ユニット１３０では、復号部１３２が、復調部１３１から送られた信号ＤＭＤの復号処理を行い、復号音声データＤＡＤを生成して音声処理部１３３へ送るとともに、復号映像データＤＩＤを生成して映像処理部１３４へ送る（図２参照）。引き続き、映像処理部１３４は、復号部１３２から送られた復号映像データＤＩＤを処理して、映像データＩＤＴを生成する。そして、映像処理部１３４は、生成された映像データＩＤＴを制御ユニット１９０のニュース速報取得部１９１及び制御部１９９へ送る。映像データＩＤＴを受けたニュース速報取得部１９１は、映像データＩＤＴに「ニュース速報」の映像が含まれているときには、「ニュース速報」の文字情報を取得し、制御部１９９へ送るようになっている（図３参照）。
【００６１】
また、本実施形態では、制御部１９９は、第２種速報情報の取得要請を、無線通信ユニット１４５及びアンテナ１４０を介して、外部へ送信しているものとする。そして、近隣の外部機器から送信された第２種速報情報を受信したときには、アンテナ１４０及び無線通信ユニット１４５を介して、外部速報情報取得部１９３が当該第２種速報情報を取得し、制御部１９９へ送るようになっている（図３参照）。
【００６２】
また、位置検出ユニット２１０からは、検出された車両の現在位置が位置取得ユニット１８０へ逐次送られている。そして、制御部１９９は、位置取得ユニット１８０から送られた車両の位置情報ＰＳＩを、逐次、取得しているものとする。
【００６３】
＜表示制御処理＞  
このような状況のもとで、図４に示されるように、まず、ステップＳ１１において、制御部１９９が、「緊急警報」の字幕情報を取得したか否かを判定することにより、「緊急警報」があったか否かを判定する。この判定の結果が肯定的であった場合（ステップＳ１１：Ｙ）には、制御部１９９は、「緊急警報」の字幕情報から文字列を抽出する。そして、処理は後述するステップＳ１３へ進む。
【００６４】
一方、ステップＳ１１における判定の結果が否定的であった場合（ステップＳ１１：Ｎ）には、処理はステップＳ１２へ進む。ステップＳ１２では、制御部１９９が、「ニュース速報」の文字情報を取得したか否かを判定することにより、「ニュース速報」があったか否かを判定する。この判定の結果が肯定的であった場合（ステップＳ１２：Ｙ）には、制御部１９９は、「ニュース速報」の文字情報から文字列を抽出する。そして、処理はステップＳ１３へ進む。
【００６５】
ステップＳ１３では、「速報情報の表示処理」が行われる。かかるステップＳ１３の処理の詳細については、後述する。
【００６６】
ステップＳ１３における処理が終了すると、処理はステップＳ１４へ進む。ステップＳ１４では、制御部１９９が、速報情報の取得報告を生成する。そして、制御部１９９は、速報情報の取得報告を、無線通信ユニット１４５及びアンテナ１４０を介して、近隣の外部へ送信する。この後、処理はステップＳ１５へ進む。また、上述したステップＳ１２における判定の結果が否定的であった場合（ステップＳ１２：Ｎ）には、処理はステップＳ１５へ進む。
【００６７】
ステップＳ１５では、「第２種速報情報に対する処理」が行われる。かかるステップＳ１５の処理の詳細については、後述する。そして、ステップＳ１５の処理が終了すると、処理はステップＳ１１へ戻る。
【００６８】
以後、ステップＳ１１〜Ｓ１５の処理が繰り返されて、速報情報の表示制御処理が行われる。
【００６９】
《速報情報の表示処理》
次に、上述したステップＳ１３における「速報情報の表示処理」について説明する。
【００７０】
この「速報情報の表示処理」は、図５に示されるように、まず、ステップ２１において、制御部１９９が、記憶部１９５内のキーワード情報ＫＷＩを参照して、キーワードと一致する文字列が存在するか否かを判定する。この判定の結果が肯定的であった場合（ステップＳ２１：Ｙ）には、処理はステップＳ２２へ進む。
【００７１】
ステップＳ２２では、抽出された文字列に、地域情報が含まれているか否かを判定する。この判定の結果が否定的であった場合（ステップＳ２２：Ｎ）には、処理は後述するステップＳ２４へ進む。一方、ステップＳ２２における判定の結果が肯定的であった場合（ステップＳ２２：Ｙ）には、処理はステップＳ２３へ進む。このステップＳ２３では、制御部１９９が、抽出された地域情報について、車両の現在位置と位置関連性があるか否かを判定する。この判定の結果が肯定的であった場合（ステップＳ２３：Ｙ）には、処理はステップＳ２４へ進む。
【００７２】
ステップＳ２４では、制御部１９９が、抽出された文字列について、類似のフレーズの文字列の取捨選択、位置関連性のない地域情報の文字列の取捨等の文字選定を行う。例えば、『警報』と『注意報』とが同時に抽出された場合には、『警報』を選択して、『注意報』を用いないようにする。
【００７３】
引き続き、ステップＳ２５において、制御部１９９が、選定された文字列に利用者指定のキーワードが含まれているか否かを判定する。例えば、選定された文字列に『注意報』が含まれ、『警報』が含まれていない場合に、利用者指定のキーワードに『警報』が含まれ、『注意報』が含まれていない場合には、当該判定の結果は否定的となる。また、選定された文字列に『火山噴火』が含まれ、『津波』、『地震』が含まれていない場合に、利用者指定のキーワードに『津波』、『地震』が含まれ、『火山噴火』が含まれていない場合には、当該判定の結果は否定的となる。この判定の結果が肯定的であった場合（ステップＳ２５：Ｙ）には、処理はステップＳ２６へ進む。
【００７４】
ステップＳ２６では、制御部１９９が、選定された文字数が、所定数以下であるか否かを判定する。この判定の結果が肯定的であった場合（ステップＳ２６：Ｙ）には、処理はステップＳ２７へ進む。このステップＳ２７では、制御部１９９が、選定された文字列を視認確実な適切な大きさにした第２出力映像データＩＭＴ２を生成して、ヘッドアップディスプレイ装置１７５へ送る。この結果、速報情報が、ヘッドアップディスプレイ装置１７５に表示され、ステップＳ１３の処理が終了する。そして、処理は上述した図４のステップＳ１４へ進む。なお、本実施形態では、選定された文字列は、点滅表示されるようになっている。
【００７５】
ここで、文字の所定数は、ヘッドアップディスプレイ装置１７５における速報情報のための表示領域の大きさ、情報確認に適した文字の大きさ等を考慮して、利用者（運転者）に対して、速報情報の内容を確実に報知するとの観点から、実験、シミュレーション、経験等に基づいて、予め定められる。
【００７６】
一方、ステップＳ２６における判定の結果が否定的であった場合（ステップＳ２６：Ｎ）には、処理はステップＳ２８へ進む。このステップＳ２８では、制御部１９９が、記憶部１９５内のアイコン情報ＩＣＩを参照して、選定された文字列の一部をアイコン表示にして、表示する文字数を所定数以内にする。そして、制御部１９９は、アイコン及び所定数以内の文字列を含む第２出力映像データＩＭＴ２を生成して、ヘッドアップディスプレイ装置１７５へ送る。この結果、速報情報が、ヘッドアップディスプレイ装置１７５に表示され、ステップＳ１３の処理が終了する。そして、処理は上述した図４のステップＳ１４へ進む。
【００７７】
一方、上述したステップＳ２１における判定の結果が否定的であった場合（ステップＳ２１：Ｎ）には、処理はステップＳ２９へ進む。また、上述したステップＳ２３における判定の結果が否定的であった場合（ステップＳ２３：Ｎ）にも、処理はステップＳ２９へ進む。さらに、上述したステップＳ２５における判定の結果が否定的であった場合（ステップＳ２５：Ｎ）にも、処理はステップＳ２９へ進む。
【００７８】
ステップＳ２９では、制御部１９９が、速報情報を取得した旨のアイコンを映像にした第２出力映像データＩＭＴ２を生成して、ヘッドアップディスプレイ装置１７５へ送る。この結果、速報情報を取得した旨のアイコンがヘッドアップディスプレイ装置１７５に表示され（後述する図１０参照）、ステップＳ１３の処理が終了する。そして、処理は上述した図４のステップＳ１４へ進む。
【００７９】
《第２種速報情報に対する処理》
次いで、上述したステップＳ１５における「第２種速報情報に対する処理」について説明する。
【００８０】
この「第２種速報情報に対する処理」は、図６に示されるように、まず、ステップ３１において、制御部１９９が、近隣の外部機器から近距離無線通信で送信される第２種速報情報を取得したか否かを判定する。この判定の結果が否定的であった場合（ステップＳ３１：Ｎ）には、ステップＳ１５の処理が終了する。そして、処理は図４のステップＳ１１へ戻る。
【００８１】
一方、ステップＳ３１における判定の結果が肯定的であった場合（ステップＳ３１：Ｙ）には、処理はステップＳ３２へ進む。ステップＳ３２では、制御部１９９が、第１種速報情報を、現時点において取得しているか否かを判定する。この判定の結果が否定的であった場合（ステップＳ３２：Ｎ）には、処理は後述するステップＳ３４へ進む。
【００８２】
ステップＳ３２における判定の結果が肯定的であった場合（ステップＳ３２：Ｙ）には、処理はステップＳ３３へ進む。このステップＳ３３では、制御部１９９が、第１種速報情報の内容と第２種速報情報の内容とが同一であるか否かを判定する。この判定の結果が肯定的であった場合（ステップＳ３３：Ｙ）には、処理はステップＳ１５の処理が終了する。そして、処理は図４のステップＳ１１へ戻る。一方、ステップＳ３３における判定の結果が否定的であった場合（ステップＳ３３：Ｎ）には、処理はステップＳ３４へ進む。
【００８３】
ステップＳ３４では、制御部１９９が、上述した図５におけるステップＳ１３の同様の処理を行って、速報情報をヘッドアップディスプレイ装置１７５に表示させる。なお、本実施形態では、ステップＳ３３における判定の結果が否定的であった場合、すなわち、第１種速報情報の内容と第２種速報情報の内容とが異なっているときには、第２種速報情報の内容を表示するようになっている。この後、処理はステップＳ３５へ進む。
【００８４】
ステップＳ３５では、制御部１９９が、第２種速報情報の取得報告を生成する。そして、制御部１９９は、第２種速報情報の取得報告を、無線通信ユニット１４５及びアンテナ１４０を介して、先に第２種速報情報を送信した外部機器以外の近隣の外部機器へ向けて、近距離無線通信で送信する。こうして第２種速報情報の取得報告を外部機器へ送信すると、ステップＳ１５の処理が終了する。そして、処理は図４のステップＳ１１へ戻る。
【００８５】
＜速報情報の送信処理＞
次に、表示制御装置１００による速報情報の送信処理について説明する。
【００８６】
速報情報の送信処理に際しては、図７に示されるように、まず、ステップＳ４１において、制御部１９９が、第１種又は第２種速報情報の取得報告を、外部機器へ向けて送信しているか否かを判定する。この判定の結果が否定的であった場合（ステップＳ４１：Ｎ）には、ステップＳ４１の処理が繰り返される。
【００８７】
一方、ステップＳ４１における判定の結果が肯定的になった場合（ステップＳ４１：Ｙ）には、処理はステップＳ４２へ進む。ステップＳ４２では、制御部１９９が、他車両に配置された無線送信装置等の外機機器から、速報情報の取得要請を、アンテナ１４０及び無線通信ユニット１４５を介して受信したか否かを判定する。この判定の結果が否定的であった場合（ステップＳ４２：Ｎ）には、処理はステップＳ４３へ進む。
【００８８】
ステップＳ４３では、制御部１９９が、現在取得している速報情報を、無線通信ユニット１４５及びアンテナ１４０を介して、要求先の装置へ送信する。この後、処理はステップＳ４１へ戻る。
【００８９】
以後、ステップＳ４１〜Ｓ４３の処理が繰り返されて、速報情報の送信処理が行われる。
【００９０】
＜ヘッドアップディスプレイ装置１７５への速報情報の表示例（その１）＞
図８（Ａ）には、緊急警報があったときの第１表示ユニット１７０に表示される映像例が示されている。このとき、表示制御装置１００が配置された車両の現在位置は、「埼玉県」とする。また、利用者指定のキーワードに、『地震』が含まれているものとする。
【００９１】
このとき、ステップＳ１１において、制御部１９９は、キーワード情報ＫＷＩを参照して、緊急警報の字幕情報から、例えば、「緊急」、「地震」、「速報」、「緊急」「地震」、「速報」、「千葉県」、「地震」、「警戒」、「千葉」、「茨城」、「栃木」、「群馬」、「埼玉」、「東京」、「神奈川」、「静岡」を抽出する。そして、ステップＳ２３において、制御部１９９は、地域情報について、車両の現在位置と位置関連性があると判定する。
【００９２】
引き続き、ステップＳ２４において、抽出された文字列の選定処理が行われ、例えば、「緊急」、「地震」、「速報」、「警戒」、「埼玉」が選定される。そして、文字の所定数が８文字のときには、ステップＳ２８において、現象キーワードである「地震」がアイコン表示され、表示対象の文字列として「緊急」、「速報」、「警戒」、「埼玉」が選定される。この結果、ヘッドアップディスプレイ装置１７５には、図８（Ｂ）に示される速報情報が表示される。
【００９３】
＜ヘッドアップディスプレイ装置１７５への速報情報の表示例（その２）＞
図９（Ａ）には、ニュース速報があったときの第１表示ユニット１７０に表示される映像例が示されている。このとき、表示制御装置１００が配置された車両の現在位置は、「北海道東部」とする。また、利用者指定のキーワードに、『津波』が含まれているものとする。
【００９４】
このとき、ステップＳ１１において、制御部１９９は、キーワード情報ＫＷＩを参照して、ニュース速報の文字情報から、例えば、「津波」、「警報」、「北海道」、「東部」を抽出する。そして、ステップＳ２３において、制御部１９９は、地域情報について、車両の現在位置と位置関連性があると判定する。
【００９５】
引き続き、ステップＳ２４において、抽出された文字列の選定処理が行われ、例えば、そのまま「津波」、「警報」、「北海道」、「東部」が選定される。そして、文字の所定数が８文字のときには、ステップＳ２８において、現象キーワードである「津波」がアイコン表示され、表示対象の文字列として「警報」、「北海道」、「東部」が選定される。この結果、ヘッドアップディスプレイ装置１７５には、図９（Ｂ）に示される速報情報が表示される。
【００９６】
＜ヘッドアップディスプレイ装置１７５への速報情報の表示例（その３）＞
図１０には、上述したステップＳ２９において、ヘッドアップディスプレイ装置１７５に、速報情報を取得した旨のアイコンのみが表示されている例が示されている。
【００９７】
以上説明したように、本実施形態では、ニュース速報取得部１９１が、映像データＩＤＴに「ニュース速報」の映像が含まれているときには「ニュース速報」の文字情報を取得し、制御部１９９へ送る。また、緊急警報取得部１９２が、緊急警報信号が検出されると、「緊急警報」の字幕情報を取得し、制御部１９９へ送る。制御部１９９は、「ニュース速報」の文字情報又は「緊急警報」の字幕情報を受けると、当該情報から文字列を抽出する。次に、制御部１９９は、抽出された文字列に『津波』、『地震』等のキーワードが含まれているか否かの判定、重複文字列の取捨等の選定処理を行った後、選定された文字列が所定数以下であるか否かを判定する。
【００９８】
そして、当該判定の結果が肯定的であった場合には、制御部１９９は、選定された文字列を、報知可能な適切な大きさでヘッドアップディスプレイ装置１７５に表示させる。また、当該判定の結果が否定的であった場合には、制御部１９９は、『津波』、『地震』等の現象文字列をアイコン表示するとともに、ヘッドアップディスプレイ装置１７５に表示する文字数を所定数以内にする。
【００９９】
このため、運転者の前方視界を遮ることがないため交通安全に資することができ、かつ、速報情報を利用者に確実に報知することができる。
【０１００】
また、本実施形態では、制御部１９９は、抽出された速報情報の地域情報について、車両の現在位置との位置関連性があるか否かを判定する。そして、当該位置関連性があると判定したときには、速報情報に関する内容を利用者に報知し、当該位置関連性がないと判定したときには、速報情報に関する内容を利用者に報知しない。このため、利用者にとって緊急性がない速報情報を、利用者に報知しないようにすることができる。
【０１０１】
また、本実施形態では、放送局から送信される放送コンテンツの視聴用再生の有無に関わらず、「速報情報」の表示制御処理を行う。このため、放送コンテンツを視聴していない期間についても、運転者は、速報情報を知ることができる。
【０１０２】
また、本実施形態では、表示制御装置にて第１種速報情報を取得できなくても、他車両に配置された無線送信装置や携帯電話装置等の外部機器から第１種速報情報を取得することができる。
【０１０３】
したがって、本実施形態によれば、速報情報を取得した際に、利用者に対して、当該速報情報を簡潔化した表示で確実に報知することができる。
【０１０４】
［実施形態の変形］
本発明は、上記の実施形態に限定されるものではなく、様々な変形が可能である。
【０１０５】
例えば、上記の実施形態では、利用者に報知するために選定された文字数が所定数以下の場合は、文字のみをヘッドアップディスプレイ装置に表示することとした。これに対して、『津波』、『地震』等の現象を表す文字列については、文字列表示とともにアイコン表示をするようにしてもよい。
【０１０６】
また、上記の実施形態では、表示可能な文字数の所定数を８文字にしたが、これに限定されるものではない。
【０１０７】
また、上記の実施形態では、第２表示部としてヘッドアップディスプレイ装置を採用したが、速報情報を表示する表示装置としては、ウインドシールドディスプレイ装置等の他のディスプレイ装置であってもよい。
【０１０８】
また、上記の実施形態では、「ニュース速報」があったか否かについては、映像データに基づいて判定し、当該映像データから「ニュース速報」の文字情報を取得するようにした。これに対して、音声データに基づいて「ニュース速報」があったか否かを判定するようにしてもよい。
【０１０９】
また、上記の実施形態では、ＴＭＣＣ情報を取得して、緊急警報信号が検出されるか否かを判定して緊急警報情報を取得した。これに対して、地上デジタル放送におけるＰＭＴ（Program Map Table）に記述される緊急情報記述子を参照して、緊急警報情報を取得するようにしてもよい。
【０１１０】
また、上記の実施形態では、近距離無線通信により、近隣他車両に配置された無線送信装置に向けて、速報情報の取得報告を送信することとした。これに対して、速報情報の取得報告を、一斉同報通信により、外部機器へ送信するようにしてもよい。
【０１１１】
また、第１種又第２種速報情報の取得した際には速報取得フラグを立てて、外部へ送信するようにしてもよい。そして、表示制御装置において速報取得フラグが立っていない期間においては、常時、外部から速報情報の送信があるか（速報情報のフラグが立っている外部機器があるか）をチェックするようにしてもよい。なお、速報フラグが立ってから所定時間が経過すると、フラグをオフするようにする。
【０１１２】
また、上記の実施形態では、複数のＧＰＳ衛星から送られる電波の受信結果に基づいて車両の現在位置を取得したが、現在受信している放送局エリアコード情報や放送局名に基づいて、車両の現在位置を取得するようにしてもよい。
【０１１３】
また、速報情報の内容をヘッドアップディスプレイ装置に表示する際には、色の反転を行ったり、時間や天候等に対応して輝度を変化させるようにしてもよい。
【０１１４】
また、上記の実施形態においては、車両に搭載される表示制御装置に本発明を適用したが、車両以外の他の移動体に配置される表示制御装置にも本発明を適用することもできるし、家庭内に配置される表示制御装置にも本発明を適用することができる。
【０１１５】
なお、上記の制御ユニットの一部又は全部を中央処理装置（ＣＰＵ：Central Processing Unit）等を備えた演算手段としてのコンピュータとして構成し、予め用意されたプログラムを当該コンピュータで実行することにより、上記の実施形態における制御ユニットの機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１１６】
１００  …  表示制御装置
１７０  …  第１表示ユニット（第１表示部）
１７５  …  第２表示ユニット、ヘッドアップディスプレイ装置（第２表示部）
１８０  …  位置取得ユニット（位置取得部）
１９１  …  ニュース速報取得部（速報情報取得部の一部）
１９２  …  緊急警報取得部（速報情報取得部の一部）
１９３  …  外部速報情報取得部（速報情報取得部の一部）
１９９  …  制御部（抽出部、表示制御部）
【図１】
2020075722.tif 000003
【図２】
2020075722.tif 000004
【図３】
2020075722.tif 000005
【図４】
2020075722.tif 000006
【図５】
2020075722.tif 000007
【図６】
2020075722.tif 000008
【図７】
2020075722.tif 000009
【図８】
2020075722.tif 000010
【図９】
2020075722.tif 000011
【図１０】
2020075722.tif 000012